【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
一般式（１）を有する１つ以上の化合物を含む化合物の混合物であって、
【化１】
2005530869.tif 000001
式中、基Ｒは、独立して、１つのアルキル−、シクロアルキル−、アラルキル−、またはアリール残基を表し、この芳香族環系は、１つ以上の同一であっても異なっていてもよい基Ｒ’によって場合によって置換されてもよく、その基Ｒ’は、アリール−、飽和または不飽和のアルキル−、アラルキル−またはシクロアルキル−基、ならびに、ハロゲン、アミノ−、アミノアルキル−、アミノシクロアルキル−、またはシアノ−、チオシアノ−、ニトロ−基であることができる化合物と、
式２
【化２】
2005530869.tif 000002
（式中、Ｒ１とＲ２は各々独立して、水素であるか、同一であるか、または直鎖および分岐しているアルキル−、または、２から１２個の炭素原子および１から４個の酸素原子を有するアルコキシ−基から選択された、異なる置換基である。）の紫外線吸収剤、ヒンダードアミン安定剤、立体障害性フェノール、オルガノホスフィン、オルガノ−ホスファイト、オルガノホスホナイト、およびこれらの混合物からなる群から選択される化合物と
の混合物。
【請求項２】
前記ヒンダードアミン安定剤が、式３または４の化合物である請求項１に記載の化合物の混合物：
【化３】
2005530869.tif 000003
（式中、Ａ’は、アミンである官能基を含むか、またはＡ’は加水分解性基、例えば、アミンを生成するアミドを含む、あるいはＡ’はアミドを生成する基であり、Ｒ＊は、メチルか、または他の低級な（Ｃ２−Ｃ４アルキル）であり、Ｒ”は、水素、１から３個の炭素のアルキルおよび−ＯＲ３からなる群から選択され、このＲ３は、水素、メチル、および１から７個の炭素を含むアルキルからなる群から選択され、
【化４】
2005530869.tif 000004
式中、２量体と３量体を含み、Ｒ４の少なくとも１つは、−ＯＨ、−ＯＲであり、また、Ｒ４の少なくとも１つはＲａ、ＲｂまたはＲｃであり、
【化５】
2005530869.tif 000005
式中、Ｒ＊は上に定義されているものであり、Ｒ’は上述のＡ’と同じ意味を有する。
Ｒ５は、水素、アルキルまたは１から６個の炭素原子を有するシクロアルキルからなる群から選択される。）
【請求項３】
前記ヒンダードアミンが、式（５）から（１１）によって表わされる化合物である請求項２に記載の化合物の混合物：
【化６】
2005530869.tif 000006
2005530869.tif 000007
（式中、式５から１１の式においては、Ｒ６は、式（ａ’）または（ａ”）のいずれかであることができ、
【化７】
2005530869.tif 000008
式中、ａ’とａ”の中のＲ’は、水素、Ｃ１−６アルキルまたはシクロアルキル−、例えば、−ＣＨ３、−ＣＨ２ＣＨ３、Ｃ１−４アルコキシ、例えば、−ＯＣＨ３、−ＯＣＨ２ＣＨ３、または−ＣＯ−Ｃ１−４アルキル、例えば、−Ｏ−ＣＯ−ＣＨ３、−Ｏ−ＣＯ−ＣＨ２ＣＨ３である。）
【請求項４】
前記ヒンダードアミンが、以下のものから選択される化合物である請求項２に記載の化合物の混合物：
４−アミノ−２，２’，６，６’−テトラメチルピペリジン、
４−アミノアルキル−２，２’，６，６’−テトラメチルピペリジン、
４−アミノアリール−２，２’，６，６’−テトラメチルピペリジン、
３−アミノアルキル−２，２’，６，６’−テトラメチルピペリジン、
３−アミノアリール−２，２’，６，６’−テトラメチルピペリジン、
２，２’，６，６’−テトラメチル−４−ピペリジン−アルキルカルボン酸、
２，２’，６，６’−テトラメチル−４−ピペリジンアリールカルボン酸、
２，２’，６，６’−テトラメチル−３−ピペリジンアルキルカルボン酸、
２，２’，６，６’−テトラメチル−３−ピペリジン−アリールカルボン酸。
【請求項５】
前記立体障害性フェノールが、式α、式β、およびこれらの混合物からなる群から選択される請求項１に記載の化合物の混合物：
【化８】
2005530869.tif 000009
（式中、
ｍは１または３の数字であり、
Ｒ（ａ）は、Ｃ１−Ｃ１８アルキル、Ｃ５−Ｃ１２−シクロ−アルキル、フェニル、またはＣ７−Ｃ９フェニル−アルキルであり、
Ｒ（ｂ）は、水素、Ｃ１−Ｃ１８アルキル、Ｃ５−Ｃ１２シクロ−アルキル、フェニル、またはＣ７−Ｃ９フェニル−アルキルであり、
Ｒ（ｃ）は水素またはメチルであり；
ｍが１である場合、Ｒ（ｄ）は水素、Ｃ１−Ｃ４アルキル、または、
【化９】
2005530869.tif 000010
であり、
ｍが３である場合、Ｒ（ｄ）は
【化１０】
2005530869.tif 000011
であり、
Ｒ（ｅ）は水素またはメチルであり、
Ｒ（ｆ）は水素、Ｃ１−Ｃ２０アルキル、置換基を有さない、またはＣ１−Ｃ４アルキル置換されたフェニルまたはナフチルであり、
Ｒ（ｇ）は、Ｃ１−Ｃ２０アルキル、置換基を有さない、またはＣ１−Ｃ４アルキル置換されたフェニルまたはナフチルであり、特に以下の化合物（Ｉ）−（ＶＩＩＩ）である：
ビス−［３，３−ビス−（４’−ヒドロキシ−３’−ｔｅｒｔ−ブチル）−ブタン酸］グリコールエステル（Ｉ）、
４，４’，４”−［（２，４，６−トリメチル−１，３，５−ベンゼントリイル）トリス（メチレン）］−トリス［２，６−ビス（１，１−ジメチルエチル）フェノール］（ＩＩ）、
１，３，５−トリアジン−２，４，６（１Ｈ，３Ｈ，５Ｈ）−トリオン−１，３，５−トリス［［４−（１，１−ジメチルエチル）−３−ヒドロキシ−２，６−ジメチルフェニル］メチル］（ＩＩＩ）、
フェノール、４，’４，４”−（１−メチル−１−プロパニル−３−イリデン）トリス［２−（１，１−ジメチルエチル）−５−メチル（ＩＶ）、
フェノール，２，６−ビス［［３−（１，１−ジメチルエチル）−２−ヒドロキシ−５−メチルフェニル］オクタ−ヒドロ−４，７−メタノ−１Ｈ−インデニル］−４−メチル（Ｖ），
ベンゼンプロパン酸、３−（１，１−ジメチルエチル）−４−ヒドロキシ−５−メチル−２，４，８，１０−テトラオキサ−スピロ［５．５］ウンデカン−３，９−ジイル−ビス（２，２−ジメチル−２，１−エタン−ジイル）エステル（ＶＩ），
テトラキスメチレン（３，５−ジ−ｔｅｒｔブチル−４−ヒドロキシフェニル）−ヒドロシンナメート（ＶＩＩ）
オクタデシル−３，５−ビス（１，１−ジメチルエチル）−４−ヒドロキシベンゼンプロパノエート（ＶＩＩＩ）。）
【請求項６】
前記オルガノホスフィンが、次のものからなる群から選択される請求項１に記載の化合物の混合物：
【化１１】
2005530869.tif 000012
（式中、
Ｒ７は、Ｃ１−２４の直鎖または分岐しているアルキル（ヘテロ原子ＮおよびＯ、Ｐ、Ｓを含む場合においても）、Ｃ５−３０シクロアルキル（ヘテロ原子ＮおよびＯ、Ｐ、Ｓを含む場合においても）、Ｃ１−３０アルキルアリール、Ｃ６−２４アリール、Ｃ４−２４ヘテロアリール（単一のもしくは複数の（直鎖または分岐している）Ｃ１−１８アルキルによって置換されている）、Ｃ５−１２シクロアルキルまたはＣ１−１８アルコキシであり；
Ｒ８は、Ｃ４−２４の直鎖または分岐しているアルキル（ヘテロ原子ＮおよびＯ、Ｐ、Ｓを含む場合においても）、Ｃ５−３０シクロアルキル（ヘテロ原子ＮおよびＯ、Ｐ、Ｓを含む場合においても）、Ｃ１−３０のアルキルアリール、Ｃ６−２４のアリール、Ｃ４−２４ヘテロアリール（単一のもしくは複数の（直鎖または分岐している）Ｃ１−１８アルキルによって置換されている）、Ｃ５−１２のシクロアルキルまたはＣ１−１８のアルコキシである。
Ｄは、直鎖または分岐しているＣ１−３０のアルキレン（ヘテロ原子ＮおよびＯ、Ｐ、Ｓを含む場合においても）、Ｃ２−３０アルキリデン（ヘテロ原子ＮおよびＯ、Ｐ、Ｓを含む場合においても）、Ｃ５−１２シクロアルキレン（ヘテロ原子ＮおよびＯ、Ｐ、Ｓを含む場合においても）、またはＣ６−２４のアリーレン／Ｃ４−２４ヘテロアリーレン（（直鎖または分岐している）Ｃ１−１８アルキルによって置換されている）、Ｃ５−１２シクロアルキルまたはＣ１−１８アルコキシ、−Ｏ−、−Ｓ−であり；
Ｑは１から５であり；
Ｒは３から６であり；
式中、式（ＸＩＩ）の中の基Ｐ−Ｒ８は、このＰ−原子から来る結合で＊によって示されるＰを含んでいる環構造の部分であることができる。）
【請求項７】
前記オルガノホスホナイトが、次のものからなる群から選択される請求項１に記載の化合物の混合物：
【化１２】
2005530869.tif 000013
2005530869.tif 000014
2005530869.tif 000015
（式中、互いに独立して、
Ｒ９は、Ｃ１−Ｃ２４アルキル（直鎖、または分岐しており、適切な位置にヘテロ原子Ｎ、Ｏ、Ｐ、Ｓも含む）、Ｃ５−Ｃ３０シクロアルキル、（適切な位置にヘテロ原子Ｎ、Ｏ、Ｐ、Ｓも含む）、Ｃ１−Ｃ３０アルキルアリール、Ｃ６−Ｃ２４アリールまたはヘテロアリール、Ｃ６−Ｃ２４アリールまたはヘテロアリール（基Ｃ１−Ｃ１８アルキル（直鎖、または分岐している）、Ｃ５−Ｃ１２シクロアルキルまたはＣ１−Ｃ１８アルコキシで置換されている）；
Ｒ１１は、Ｃ１−Ｃ３０アルキレンタイプのｎ価の基、（直鎖、または分岐しており、適切な位置にヘテロ原子Ｎ、Ｏ、Ｐ、Ｓも含む）、Ｃ１−Ｃ３０アルキリデン（適切な位置にヘテロ原子Ｎ、Ｏ、Ｐ、Ｓも含む）、Ｃ５−Ｃ１２シクロアルキレンまたはＣ６−Ｃ２４アリーレン（適切な位置でＣ１−Ｃ１８アルキル（直鎖、または分岐している）、Ｃ５−Ｃ１２シクロアルキルまたはＣ１−Ｃ１８アルコキシで置換されている）であり；
Ｒ１２は、Ｃ１−Ｃ２４アルキル（直鎖、または分岐しており、適切な位置にヘテロ原子Ｎ、Ｏ、Ｐ、Ｓも含む）、Ｃ５−Ｃ３０シクロアルキル（適切な位置にヘテロ原子Ｎ、Ｏ、Ｐ、Ｓも含む）、Ｃ１−Ｃ３０アルキルアリール、Ｃ６−Ｃ２４アリールまたはヘテロアリール、Ｃ６−Ｃ２４アリールまたはヘテロアリール（Ｃ１−Ｃ１８アルキル（直鎖か分岐している）、Ｃ５−Ｃ１２シクロアルキルまたはＣ１−Ｃ１８アルコキシで置換されている）；
Ａは、直接の結合、Ｃ１−Ｃ３０アルキリデン（適切な位置にヘテロ原子Ｎ、Ｏ、Ｐ、Ｓも含む）、＞ＮＨ、＞ＮＲ８、−Ｓ−、＞Ｓ（Ｏ）、＞Ｓ（Ｏ）２、−Ｏ−であり；
Ｘは、Ｃｌ、Ｂｒ、Ｆ、ＯＨ（結果的に得られる＞Ｐ（Ｏ）Ｈの互変異性体を含む）であり；
ｋは０から４であり；
ｎは１から４であり；
ｍは０から５であり；
ｐは０または１である。）
【請求項８】
前記オルガノホスファイトが次のものからなる群から選択される請求項１に記載の化合物の混合物：
【化１３】
2005530869.tif 000016
2005530869.tif 000017
（式中、互いに独立して、
Ｒ９は、Ｃ１−Ｃ２４アルキル（直鎖または分岐しており、適切な位置にヘテロ原子Ｎ、Ｏ、Ｐ、Ｓも含む）、Ｃ５−Ｃ３０シクロアルキル、（適切な位置にヘテロ原子Ｎ、Ｏ、Ｐ、Ｓも含む）、Ｃ１−Ｃ３０アルキルアリール、Ｃ６−Ｃ２４アリールまたはヘテロアリール、Ｃ６−Ｃ２４アリールまたはヘテロアリール（基Ｃ１−Ｃ１８アルキル（直鎖または分岐している）、Ｃ５−Ｃ１２シクロアルキルまたはＣ１−Ｃ１８アルコキシで置換されている）であり；
Ｒ１０は、Ｈ，Ｃ１−Ｃ２４アルキル（直鎖または分岐しており、適切な位置にヘテロ原子Ｎ、Ｏ、Ｐ、Ｓも含む）、Ｃ５−Ｃ３０シクロアルキル、（適切な位置にヘテロ原子Ｎ、Ｏ、Ｐ、Ｓも含む）、Ｃ１−Ｃ３０アルキルアリール、Ｃ６−Ｃ２４アリールまたはヘテロアリール、Ｃ６−Ｃ２４アリールまたはヘテロアリール（基Ｃ１−Ｃ１８アルキル（直鎖または分岐している）、Ｃ５−Ｃ１２シクロアルキルまたはＣ１−Ｃ１８アルコキシで置換されている）であり；
Ｒ１１は、Ｃ１−Ｃ３０アルキレンタイプのｎ価の基（直鎖または分岐しており、適切な位置にヘテロ原子Ｎ、Ｏ、Ｐ、Ｓも含む）、Ｃ１−Ｃ３０アルキリデン（適切な位置にヘテロ原子Ｎ、Ｏ、Ｐ、Ｓも含む）、Ｃ５−Ｃ１２シクロアルキレンまたはＣ６−Ｃ２４アリーレン（適切な位置でＣ１−Ｃ１８アルキル（直鎖または分岐している）、Ｃ５−Ｃ１２シクロアルキルまたはＣ１−Ｃ１８アルコキシで置換されている）であり；
Ｒ１２は、Ｃ１−Ｃ２４アルキル（直鎖または分岐しており、適切な位置にヘテロ原子Ｎ、Ｏ、Ｐ、Ｓも含む）、Ｃ５−Ｃ３０シクロアルキル（適切な位置にヘテロ原子Ｎ、Ｏ、Ｐ、Ｓも含む）、Ｃ１−Ｃ３０アルキルアリール、Ｃ６−Ｃ２４アリールまたはヘテロアリール、Ｃ６−Ｃ２４アリールまたはヘテロアリール（Ｃ１−Ｃ１８アルキル（直鎖または分岐している）、Ｃ５−Ｃ１２シクロアルキルまたはＣ１−Ｃ１８アルコキシ基で置換されている）であり；
Ａは、直接の結合、Ｃ１−Ｃ３０アルキリデン（適切な位置にヘテロ原子Ｎ、Ｏ、Ｐ、Ｓも含む）、＞ＮＨ、＞ＮＲ８、−Ｓ−、＞Ｓ（Ｏ）、＞Ｓ（Ｏ）２、−Ｏ−であり；
Ｘは、Ｃｌ、Ｂｒ、Ｆ、ＯＨ（結果的に得られる＞Ｐ（Ｏ）Ｈの互変異性体を含む）であり；
ｋは０から４であり；
ｎは１から４であり；
ｍは０から５であり；
ｐは０または１である。）
【請求項９】
式１の化合物が使用されている請求項１に記載の化合物の混合物。
【請求項１０】
有機物基体へ請求項１に記載の化合物の混合物を添加するステップを含む有機物基体を安定化する方法。
【請求項１１】
請求項１０に記載の方法によって作られる安定化された有機物基体。
【請求項１２】
請求項１に記載の化合物の混合物を含むエンジニアリングプラスチック。